(57)【要約】  電子デバイスが、異環境下で動く操作対象を実環境下で操作するユーザの部位を押圧可能であり、且つ形状を変化可能な一つ以上の変形インターフェースと、ユーザが部位で知覚する温度を変化可能である一つ以上の温度変化部を備え、フィードバックシステムが、電子デバイスと、変形インターフェースの形状を変化させるアクチュエータの動作を操作対象が得ていると推定される触覚の変化に基づいて制御するアクチュエータ制御部と、ユーザが部位で知覚する温度を変化可能な温度変化部の温度を操作対象が知覚していると推定される温度の変化に基づいて制御する温度制御部を備える。
2020116010.tif 000002
【特許請求の範囲】
【請求項１】
異環境下で動く操作対象を実環境下で操作するユーザの部位を押圧可能な変形インターフェースと、  前記変形インターフェースの形状を変化させるアクチュエータの動作を制御するアクチュエータ制御部と、  前記ユーザが部位で知覚する温度を変化可能な温度変化部と、  前記温度変化部の温度を制御する温度制御部と、を備え、  前記アクチュエータ制御部は、前記操作対象が得ていると推定される触覚の変化に基づいて前記アクチュエータの動作を制御し、  前記温度制御部は、前記操作対象が知覚していると推定される温度の変化に基づいて前記温度変化部の温度を制御するフィードバックシステム。
【請求項２】
異環境下で動く操作対象を実環境下で操作するユーザの部位を押圧可能な変形インターフェースの形状を変化させるアクチュエータの動作を、前記操作対象が得ていると推定される触覚の変化に基づいて制御し、  前記ユーザが部位で知覚する温度を変化可能な温度変化部の温度を、前記操作対象が知覚していると推定される温度の変化に基づいて制御するフィードバック制御方法。
【請求項３】
形状を変化可能な一つ以上の変形インターフェースと、  温度を変化可能な一つ以上の温度変化部と、を備え、  前記変形インターフェースは、異環境下で動く操作対象を実環境下で操作するユーザの部位を押圧可能であり、  前記温度変化部は、前記ユーザが部位で知覚する温度を変化可能である電子デバイス。
【請求項４】
前記操作対象が得ていると推定される触覚の変化に基づいて前記変形インターフェースの形状を変化させるアクチュエータの動作を制御するアクチュエータ制御部と、  前記操作対象が知覚していると推定される温度の変化に基づいて前記温度変化部の温度を制御する温度制御部と、を備える請求項３に記載した電子デバイス。
【請求項５】
前記温度変化部は、電気的な温度の調節によって温度を変化可能である請求項３に記載した電子デバイス。
【請求項６】
互いに関連して動作可能な一つの前記変形インターフェースと一つの前記温度変化部とを含むフィードバックユニットを複数備える請求項３に記載した電子デバイス。
【請求項７】
前記アクチュエータは、流体アクチュエータである請求項４に記載した電子デバイス。
【請求項８】
前記温度変化部は、前記変形インターフェースよりも前記ユーザに近い位置に配置されている請求項３に記載した電子デバイス。
【請求項９】
弾性を有する変形部材を備え、  前記変形部材は、前記ユーザの体型に応じて変形可能である請求項３に記載した電子デバイス。
【請求項１０】
前記温度変化部が発生させた温度の熱伝導率を低下させる熱伝導率低下部材を備え、  前記熱伝導率低下部材は、前記ユーザと前記温度変化部との間に配置される請求項３に記載した電子デバイス。
【請求項１１】
少なくとも一つの前記変形インターフェースは、前記ユーザの上半身を押圧可能である請求項３に記載した電子デバイス。
【請求項１２】
少なくとも一つの前記変形インターフェース及び少なくとも一つの前記温度変化部は、衣服に取り付けられている請求項１１に記載した電子デバイス。
【請求項１３】
少なくとも一つの前記変形インターフェース及び少なくとも一つの前記温度変化部は、それぞれ、前記上半身の前面と背面を押圧可能である請求項１１に記載した電子デバイス。
【請求項１４】
少なくとも一つの前記変形インターフェースは、前記ユーザの足裏を押圧可能である請求項３に記載した電子デバイス。
【請求項１５】
少なくとも一つの前記変形インターフェース及び少なくとも一つの前記温度変化部は、靴のインソールに取り付けられている請求項１４に記載した電子デバイス。
【請求項１６】
少なくとも一つの前記変形インターフェースは、前記ユーザの手を押圧可能である請求項３に記載した電子デバイス。
【請求項１７】
少なくとも一つの前記変形インターフェース及び少なくとも一つの前記温度変化部は、手袋に取り付けられている請求項１６に記載した電子デバイス。
【請求項１８】
前記異環境を出力する異環境出力部と、  前記操作対象の操作に用いる操作部と、を備える請求項３に記載した電子デバイス。
【請求項１９】
複数の前記変形インターフェースと、  複数の前記温度変化部と、  前記操作対象が得ていると推定される触覚の変化に基づいて前記変形インターフェースの形状を変化させるアクチュエータの動作を制御するアクチュエータ制御部と、  前記操作対象が知覚していると推定される温度の変化に基づいて前記温度変化部の温度を制御する温度制御部と、を備え、  前記アクチュエータ制御部は、前記複数の変形インターフェースの形状をそれぞれ変化させる前記アクチュエータの動作を異なるタイミングで個別に制御し、  前記温度制御部は、前記複数の温度変化部の温度を異なるタイミングで個別に制御する請求項３に記載した電子デバイス。
【請求項２０】
前記ユーザの生体情報を検出する生体情報検出部と、  前記生体情報検出部が検出した生体情報の変動量を前記異環境下の状況に対応させて蓄積する生体情報蓄積部と、  前記操作対象が得ていると推定される触覚の変化に基づいて前記変形インターフェースの形状を変化させるアクチュエータの動作を制御するアクチュエータ制御部と、  前記操作対象が知覚していると推定される温度の変化に基づいて前記温度変化部の温度を制御する温度制御部と、を備え、  前記生体情報蓄積部は、前記生体情報検出部が検出した生体情報の変動量が変動量閾値を超えている場合、前記変動量閾値を超えている前記状況を変動量閾値に関連付けて記憶し、  前記アクチュエータ制御部は、前記ユーザが前記操作対象を操作している状況が、前記変動量が前記変動量閾値を超えている状況では、前記変動量が前記変動量閾値以下の状況よりも大きい変化量で前記アクチュエータの動作を制御し、  前記温度制御部は、前記ユーザが前記操作対象を操作している状況が、前記変動量が前記変動量閾値を超えている状況では、前記変動量が前記変動量閾値以下の状況よりも大きい変化量で前記温度変化部の温度を制御する請求項３に記載した電子デバイス。
【発明の詳細な説明】
【技術分野】
【０００１】  本開示に係る技術（本技術）は、例えば、身体に装着する装着物に取り付ける電子デバイスと、電子デバイスを含むフィードバックシステムと、電子デバイスを用いたフィードバック制御方法に関する。
【背景技術】
【０００２】  電子デバイスとしては、例えば、特許文献１に開示されているように、ユーザが装着するチョッキに複数の空気圧力生成デバイスを内蔵し、空気圧力生成デバイスを選択的に作動させることで、触覚の変化をユーザにフィードバックするものがある。
【先行技術文献】
【特許文献】
【０００３】
【特許文献１】特表２０１０−５１２１８９号公報
【発明の概要】
【発明が解決しようとする課題】
【０００４】  しかしながら、特許文献１に開示されている技術では、例えば、仮想環境等の異環境下において温度の変化が発生した場合に、発生した温度の変化をユーザにフィードバックすることが困難であるという問題点がある。【０００５】  本技術は、上記問題点を鑑み、触覚及び温度の変化をユーザにフィードバックすることが可能な電子デバイスと、電子デバイスを含むフィードバックシステムと、電子デバイスを用いたフィードバック制御方法を提供することを目的とする。
【課題を解決するための手段】
【０００６】  本技術の一態様に係るフィードバックシステムは、変形インターフェースと、アクチュエータ制御部と、温度変化部と、温度制御部とを備える。変形インターフェースは、異環境下で動く操作対象を実環境下で操作するユーザの部位を押圧可能である。アクチュエータ制御部は、操作対象が得ていると推定される触覚の変化に基づいて、変形インターフェースの形状を変化させるアクチュエータの動作を制御する。温度変化部は、ユーザが部位で知覚する温度を変化可能である。温度制御部は、操作対象が知覚していると推定される温度の変化に基づいて、温度変化部の温度を制御する。【０００７】  本技術の一態様に係るフィードバック制御方法では、異環境下で動く操作対象を実環境下で操作するユーザの部位を押圧可能な変形インターフェースの形状を変化させるアクチュエータの動作を、操作対象が得ていると推定される触覚の変化に基づいて制御する。これに加え、本技術の一態様に係るフィードバック制御方法では、ユーザが部位で知覚する温度を変化可能な温度変化部の温度を、操作対象が知覚していると推定される温度の変化に基づいて制御する。【０００８】  本技術の一態様に係る電子デバイスは、形状を変化可能な一つ以上の変形インターフェースと、温度を変化可能な一つ以上の温度変化部とを備える。変形インターフェースは、異環境下で動く操作対象を実環境下で操作するユーザの部位を押圧可能であり、温度変化部は、ユーザが部位で知覚する温度を変化可能である。
【図面の簡単な説明】
【０００９】
【図１】第１実施形態に係る電子デバイス及びフィードバックシステムの構成を示すブロック図である。
【図２】衣服を前面から見た図である。
【図３】衣服を背面から見た図である。
【図４】図２のＩＶ線矢視図である。
【図５】第１実施形態の変形例を示す図である。
【図６】第１実施形態の変形例を示す図である。
【図７】第１実施形態の変形例を示す図である。
【図８】第１実施形態の変形例を示す図である。
【図９】第１実施形態の変形例を示す図である。
【図１０】第１実施形態の変形例を示す図である。
【図１１】第１実施形態の変形例を示す図である。
【図１２】第１実施形態の変形例を示す図である。
【図１３】第１実施形態の変形例を示す図である。
【図１４】第２実施形態に係る電子デバイスを適用するインソールの平面図である。
【図１５】第２実施形態の変形例を示す図である。
【図１６】第２実施形態の変形例を示す図である。
【図１７】第２実施形態の変形例を示す図である。
【図１８】第２実施形態の変形例を示す図である。
【図１９】第２実施形態の変形例を示す図である。
【図２０】第２実施形態の変形例を示す図である。
【図２１】第２実施形態の変形例を示す図である。
【図２２】第２実施形態の変形例を示す図である。
【図２３】第２実施形態の変形例を示す図である。
【図２４】第３実施形態に係る電子デバイスを適用する手袋を掌の側から見た図である。
【図２５】第３実施形態に係る電子デバイスを適用する手袋を手の甲の側から見た図である。
【図２６】図２４のＸＸＶＩ−ＸＸＶＩ線断面図である。
【図２７】第３実施形態の変形例を示す図である。
【図２８】第３実施形態の変形例を示す図である。
【図２９】第３実施形態の変形例を示す図である。
【図３０】第３実施形態の変形例を示す図である。
【図３１】第３実施形態の変形例を示す図である。
【図３２】第３実施形態の変形例を示す図である。
【図３３】第３実施形態の変形例を示す図である。
【図３４】第５実施形態に係る電子デバイス及びフィードバックシステムの構成を示すブロック図である。
【発明を実施するための形態】
【００１０】  以下、図面を参照して、本技術の実施形態を説明する。図面の記載において、同一または類似の部分には同一または類似の符号を付し、重複する説明を省略する。各図面は模式的なものであり、現実のものとは異なる場合が含まれる。以下に示す実施形態は、本技術の技術的思想を具体化するための装置や方法を例示するものであって、本技術の技術的思想は、下記の実施形態に例示した装置や方法に特定するものでない。本技術の技術的思想は、特許請求の範囲に記載された技術的範囲内において、種々の変更を加えることが可能である。
【００１１】  （第１実施形態）  ＜フィードバックシステムの構成＞  第１実施形態に係るフィードバックシステム１０は、図１中に示すように、電子デバイス１を備える。  フィードバックシステム１０は、仮想環境等の異環境下の操作対象（キャラクタ）を実環境下で操作するユーザに対して、触覚の変化及び温度の変化をフィードバックシステムするシステムである。第１実施形態では、一例として、異環境を、ディスプレイに操作対象が表示されるゲーム（テレビゲーム）とした場合について説明する。  ここで、「操作対象」とは、ゲームに登場する人物や、映画に出演する人物や、バーチャルツアーのテレイグジスタンス等、仮想環境や遠隔地等の異環境に存在し、ユーザの意図に応じて動作する表示または物体である。なお、テレイグジスタンスとは、遠隔地に置いてユーザが遠隔操作するロボットである。
【００１２】  ＜電子デバイスの構成＞  電子デバイス１は、図１中に示すように、複数のフィードバックユニット２と、総合コントローラ３と、異環境出力部４と、操作部５と、フィードバック演算部６を備える。なお、図１中には、複数のフィードバックユニット２のうち、一つのみを示している。  第１実施形態では、一例として、複数のフィードバックユニット２と、総合コントローラ３と、異環境出力部４と、操作部５と、フィードバック演算部６の全てをユーザの身体に装着する、自己完結型の構成とした場合について説明する。
【００１３】  複数のフィードバックユニット２は、図２から図４中に示すように、ユーザが着用する衣服Ｗの、ユーザと対向する面（内面）に取り付けられている。  第１実施形態では、複数のフィードバックユニット２を取り付ける衣服Ｗを、ユーザが上半身に着用するチョッキとした場合について説明する。また、第１実施形態では、衣服Ｗに、８個のフィードバックユニット２を取り付ける場合について説明する。  また、第１実施形態では、フィードバックユニット２のユーザと対向する部分の形状を、直交する二辺の長さが共に２．５［ｃｍ］である正方形に設定した場合について説明する。
【００１４】  また、８個のフィードバックユニット２のうち６個のフィードバックユニット２は、ユーザの肩、胸、腹のうち、ユーザの正中線を基準として左右二箇所に配置されている。これに加え、８個のフィードバックユニット２のうち２個のフィードバックユニット２は、ユーザの背中のうち、ユーザの腹に配置されている２個のフィードバックユニット２と、ユーザの正中線を基準として対向する位置に配置されている。したがって、８個のフィードバックユニット２のうち、４個で二組のフィードバックユニット２は、ユーザの上半身を前後方向から挟む位置に配置されている。なお、図中では、８個のフィードバックユニット２のうち前面に配置されている６個のフィードバックユニット２を、符号２ａ〜２ｆで示している。同様に、図中では、８個のフィードバックユニット２のうち背面に配置されている２個のフィードバックユニット２を、符号２ｇ及び２ｈで示している。また、図中では、４個で二組のフィードバックユニット２を、符号２ｅ〜２ｈで示している。
【００１５】  フィードバックユニット２は、互いに関連して動作可能な、一つの変形インターフェース２１と一つの温度変化部２２を含んでいる。
【００１６】  変形インターフェース２１は、弾性を有する材料、例えば、シリコーンを用いて、六面体のケース状に形成されている。  また、変形インターフェース２１は、変形インターフェース２１の形状を変化させるアクチュエータ２３を含む。  アクチュエータ２３は、例えば、空気ポンプを含んで形成されており、流体（気体）によって、変形インターフェース２１の形状を変化させる。すなわち、アクチュエータ２３は、流体アクチュエータである。
【００１７】  以上により、変形インターフェース２１は、ユーザの予め設定した部位に装着されて、ユーザの部位を押圧可能である。第１実施形態では、変形インターフェース２１は、ユーザの上半身を押圧する位置に配置されており、ユーザの上半身を押圧可能である。  すなわち、複数の変形インターフェース２１及び温度変化部２２は、それぞれ、ユーザの上半身の、前面と背面に配置されており、上半身の前面と背面を押圧可能である。  また、変形インターフェース２１は、ユーザが着用する衣服Ｗに取り付けられている。
【００１８】  温度変化部２２は、例えば、ペルチェ素子やニクロム線等を含んで形成されており、電気的な温度の調節によって、温度を変化可能である。したがって、温度変化部２２は、ユーザの予め設定した部位に装着され、且つ温度を変化可能である。  第１実施形態では、温度変化部２２の構成を、ペルチェ素子を含む構成とした場合について説明する。  また、温度変化部２２は、変形インターフェース２１よりもユーザに近い位置に配置されている。
【００１９】  総合コントローラ３は、アクチュエータ制御部３１と、温度制御部３２を備える。
【００２０】  アクチュエータ制御部３１は、例えば、ＣＰＵとメモリを含んで形成されており、フィードバック演算部６から入力された信号に応じて、アクチュエータ２３の動作を制御する。フィードバック演算部６から入力された信号に応じてアクチュエータ制御部３１が行う処理については、後述する。  温度制御部３２は、例えば、ＣＰＵとメモリを含んで形成されており、フィードバック演算部６から入力された信号に応じて、温度変化部２２の動作を制御する。フィードバック演算部６から入力された信号に応じて温度制御部３２が行う処理については、後述する。
【００２１】  異環境出力部４は、例えば、ヘッドマウントディスプレイを備えるゴーグル（ＶＲゴーグル）等や、壁面等に設置したディスプレイを用いて形成されており、異環境（映像・音声）を出力する。第１実施形態では、上述したように、異環境出力部４をユーザの身体に装着する構成としているため、異環境出力部４を、ヘッドマウントディスプレイを備えるゴーグルを用いて形成する。  ヘッドマウントディスプレイは、例えば、ゴーグルや帽子等の一部に、画像を表示するディスプレイが配置されて形成されており、ユーザの両目または片目で視認可能な画像を表示する。ヘッドマウントディスプレイを用いて表示する画像としては、例えば、仮想空間の画像や、カメラによって撮像した画像を用いることが可能である。
【００２２】  操作部５は、例えば、レバーやボタン等を含んで形成されており、ユーザが実環境下で操作対象の操作に用いる。  第１実施形態では、操作部５の構成を、ユーザが手で保持するコントローラにレバーやボタンが取り付けられた構成とした場合について説明する。
【００２３】  フィードバック演算部６は、例えば、ＣＰＵとメモリを含んで形成されている。  また、フィードバック演算部６は、異環境出力部４から出力している異環境と、操作部５を用いて操作している操作対象の状態に応じて、アクチュエータ２３の動作と温度変化部２２の動作を制御する制御信号を演算する。
【００２４】  以下、フィードバック演算部６が行う演算の例を説明する。  まず、異環境出力部４から出力している異環境が、矢、銃弾、砲弾等が飛び交う環境（戦場等）であり、操作対象が、ゲームに登場する人物である場合について説明する。
【００２５】  そして、異環境において、操作対象の上半身に、矢、銃弾、砲弾の破片等、飛翔体が衝突した場合について説明する。  この場合、フィードバック演算部６は、飛翔体が衝突した位置、または、飛翔体が衝突した位置と近い位置に配置されている変形インターフェース２１が膨らむように、制御信号を演算する。
【００２６】  これに加え、フィードバック演算部６は、飛翔体が衝突した位置、または、飛翔体が衝突した位置と近い位置に配置されている温度変化部２２の温度が上昇するように、制御信号を演算する。  なお、異環境において、操作対象の上半身に、例えば、砲弾の破片等、複数の飛翔体が衝突した場合には、複数の変形インターフェース２１が膨らむとともに、複数の温度変化部２２の温度が上昇するように、制御信号を演算する。
【００２７】  次に、異環境において、操作対象の上半身を飛翔体が貫通した場合について説明する。  この場合、フィードバック演算部６は、飛翔体が貫通した入口の位置、または、飛翔体が貫通した入口と近い位置（以降、「入口」と記載する）に配置されている変形インターフェース２１が膨らむように、制御信号を演算する。さらに、フィードバック演算部６は、飛翔体が貫通した出口の位置、または、飛翔体が貫通した出口と近い位置（以降、「出口」と記載する）に配置されている変形インターフェース２１が膨らむように、制御信号を演算する。
【００２８】  このとき、フィードバック演算部６は、入口に配置されている変形インターフェース２１が膨らんだ後に、出口に配置されている変形インターフェース２１が膨らむように、制御信号を演算する。  これに加え、フィードバック演算部６は、入口に配置されている温度変化部２２の温度が上昇した後に、出口に配置されている温度変化部２２の温度が上昇するように、制御信号を演算する。  この場合、例えば、フィードバックユニット２ｆが含む変形インターフェース２１が膨らんだ後に、フィードバックユニット２ｇが含む変形インターフェース２１が膨らむように、制御信号を演算する。さらに、フィードバックユニット２ｆが含む温度変化部２２の温度が上昇した後に、フィードバックユニット２ｇが含む温度変化部２２の温度が上昇するように、制御信号を演算する。
【００２９】  次に、異環境出力部４から出力している異環境が、刀剣や棒等の武器を所持した他人を模した操作対象（以降、「敵キャラクタ」と記載する）が存在する環境（戦場等）である場合について説明する。  そして、異環境において、操作対象の上半身に、武器が薙ぎ払うように衝突した場合について説明する。
【００３０】  この場合、フィードバック演算部６は、武器が最初に衝突した位置、または、武器が最初に衝突した位置と近い位置（以降、「初期位置」と記載する）に配置されている変形インターフェース２１が膨らむように、制御信号を演算する。  さらに、フィードバック演算部６は、武器が最後に衝突した位置、または、武器が最後に衝突した位置と近い位置（以降、「最終位置」と記載する）に配置されている変形インターフェース２１が膨らむように、制御信号を演算する。  この場合、例えば、フィードバックユニット２ｆが含む変形インターフェース２１が膨らんだ後に、フィードバックユニット２ｅが含む変形インターフェース２１が膨らむように、制御信号を演算する。
【００３１】  以上により、アクチュエータ制御部３１は、操作対象が得ていると推定される触覚の変化に基づいて、変形インターフェース２１が含むアクチュエータ２３の動作を制御する。また、温度制御部３２は、操作対象が知覚していると推定される温度の変化に基づいて、温度変化部２２の温度を制御する。  ここで、「操作対象が得ていると推定される触覚」とは、例えば、ディスプレイに表示されている画面の中において操作対象と物体が接触した際、操作対象をユーザに置き換えたと仮定した場合に、ユーザが視覚的に感じると推定される触覚である。なお、操作対象が得ていると推定される触覚は、例えば、操作対象に接触した物体の速度や大きさ（質量）、操作対象と物体との接触面積等に応じて設定することが可能である。  また、「操作対象が知覚していると推定される温度」とは、例えば、画面の中において操作対象と物体が接触した際や、操作対象の周囲環境が変化した際、操作対象をユーザに置き換えたと仮定した場合に、ユーザが視覚的に感じると推定される温度である。なお、操作対象が知覚していると推定される温度は、例えば、操作対象と物体が接触している時間の長さや、操作対象の周囲環境に生じている温度変化等に応じて設定することが可能である。  さらに、アクチュエータ制御部３１は、複数の変形インターフェース２１に対して、変形インターフェース２１が含むアクチュエータ２３の動作を個別に制御する。同様に、温度制御部３２は、複数の温度変化部２２に対して、温度を個別に制御する。
【００３２】  ＜フィードバック制御方法＞  第１実施形態のフィードバックシステム１０を用いて行うフィードバック制御方法では、異環境下で操作対象が得ていると推定される触覚の変化に基づいて、アクチュエータ２３の動作を制御する。これに加え、異環境下で操作対象が知覚していると推定される温度の変化に基づいて、温度変化部２２の温度を制御する。
【００３３】  第１実施形態の構成であれば、アクチュエータ制御部３１が、異環境下で操作対象が得ていると推定される触覚の変化に基づいて、アクチュエータ２３の動作を制御する。これに加え、温度制御部３２が、異環境下で操作対象が知覚していると推定される温度の変化に基づいて、温度変化部２２の温度を制御する。  これにより、異環境下で操作対象に発生した触覚及び温度の変化をユーザの上半身にフィードバックすることが可能な電子デバイス１を提供することが可能となる。
【００３４】  第１実施形態の構成であれば、異環境下で操作対象に発生した触覚及び温度の変化をユーザの上半身にフィードバックすることが可能な電子デバイス１を含むフィードバックシステム１０を提供することが可能となる。
【００３５】  第１実施形態の構成であれば、異環境下で操作対象に発生した触覚及び温度の変化をユーザの上半身にフィードバックすることが可能な電子デバイス１を用いたフィードバック制御方法を提供することが可能となる。
【００３６】  第１実施形態の構成であれば、異環境下で操作対象に発生した触覚の変化と温度の変化を、同時に、ユーザにフィードバックすることが可能である。
【００３７】  第１実施形態の構成であれば、異環境下で操作対象に発生した触覚の変化と温度の変化を、異なるタイミングで、ユーザにフィードバックすることが可能である。  このため、実環境で発生する状況のように、触覚の変化を感じた後に温度の変化を感じる状態（例えば、他人に腕を掴まれた後に、他人の腕から熱が伝わってくる状態）を、ユーザにフィードバックすることが可能である。  また、複数のフィードバックユニット２に対し、異なるタイミングで、変形インターフェース２１を膨らます制御と温度変化部２２の温度を変化させる制御を行うことで、例えば、雹が降ってくる状況を、ユーザにフィードバックすることが可能である。  第１実施形態の構成であれば、空気ポンプを含んでアクチュエータ２３を形成し、気体によって変形インターフェース２１の形状を変化させるため、低周波数によって変形インターフェース２１を振動させることが可能である。これにより、ユーザへ、軟らかさ等の触感を提示することが可能となる。  第１実施形態の構成であれば、流体によって変形インターフェース２１の形状を変化させる。このため、例えば、異環境において操作対象に飛翔体が衝突した場合等に、ユーザへ、物体と接触している感覚（接触感）や、振動を受ける感覚（振動感）に加え、圧力を受ける感覚（圧感）等、多彩な触感や新たな感覚を提示することが可能となる。また、例えば、操作対象に飛翔体が衝突する速度や飛翔体の大きさ等を反映させて、ユーザへ、接触感や振動感に加え、飛翔体が操作対象へ与える力の強さの感覚（力感）等、多彩な触感や新たな感覚を提示することが可能となる。
【００３８】  （第１実施形態の変形例）  第１実施形態では、アクチュエータ２３の構成を、気体によって、変形インターフェース２１の形状を変化させる構成としたが、これに限定するものではなく、液体によって、変形インターフェース２１の形状を変化させる構成としてもよい。  第１実施形態では、変形インターフェース２１の構成を、アクチュエータ２３を含む構成としたが、これに限定するものではなく、アクチュエータ２３が、変形インターフェース２１の外部の存在する構成としてもよい。すなわち、変形インターフェース２１の構成を、アクチュエータ２３を含まない構成としてもよい。
【００３９】  第１実施形態では、アクチュエータ２３の構成を、気体によって、変形インターフェース２１の形状を変化させる構成としたが、これに限定するものではなく、電磁力によって、変形インターフェース２１の形状を変化させる構成としてもよい。すなわち、アクチュエータ２３を、電磁アクチュエータとしてもよい。  この場合、流体によって変形インターフェース２１の形状を変化させる構成と比較して、変形インターフェース２１の形状を変化させる制御のレスポンスを向上させることが可能となる。
【００４０】  第１実施形態では、温度変化部２２の構成を、電気的な温度の調節によって、温度を変化可能な構成としたが、これに限定するものではなく、温度変化部２２の構成を、温度を調節した流体（液体等）が移動することで温度を変化可能な構成としてもよい。  この場合、例えば、図５及び図６中に示すように、衣服Ｗのフィードバックユニット２を取り付ける位置を通過するように、流体が移動するホースＨを配置する。
【００４１】  第１実施形態では、異環境を、ディスプレイに操作対象が表示されるテレビゲームとしたが、これに限定するものではなく、異環境を、映画としてもよい。この場合、異環境出力部４は、例えば、映画館のスクリーン等を用いて形成する。また、操作対象は、映画に出演する人物としてもよい。
【００４２】  第１実施形態では、異環境を、ディスプレイに操作対象が表示されるテレビゲームとしたが、これに限定するものではなく、異環境を、職業訓練等の教育ソフトに用いる環境としてもよい。なお、職業訓練等の教育ソフトに用いる環境とは、例えば、特殊車両の運転・操作トレーニングや、設備や機械のオペレーション及びメンテナンスのトレーニングや、安全教育トレーニングや、危険体感トレーニング等がある。
【００４３】  第１実施形態では、異環境を、ディスプレイに操作対象が表示されるテレビゲームとしたが、これに限定するものではなく、異環境を、コミュニケーションツールに用いる環境としてもよい。なお、コミュニケーションツールに用いる環境とは、例えば、所望の外観であるアバター（異環境でユーザの分身となる操作対象）を用いて作成した動画の公開や、遠隔地に存在する人物との交流イベント等がある。
【００４４】  第１実施形態では、フィードバックユニット２を取り付ける衣服Ｗを、ユーザが上半身に着用するチョッキとしたが、これに限定するものではなく、衣服Ｗを、例えば、図７及び図８中に示すように、半袖シャツＳＳとしてもよい。同様に、衣服Ｗを、例えば、図９及び図１０中に示すように、長袖シャツＬＳとしてもよい。  この場合、図９及び図１０中に示すように、フィードバックユニット２の数を、１６個としてもよい。なお、フィードバックユニット２の数は、制御の容易性を考慮して、８の整数倍とすることが好適である。  また、この場合、図１１中に示すように、長袖シャツＬＳの構成を、ユーザの身体に長袖シャツＬＳの腰や手首等をフィットさせるためのベルト部材Ｂを備える構成としてもよい。  さらに、この場合、ユーザへ、接触感や振動感に加え、ベルト部材Ｂを締めることによって、衣服によって体を締め付けられる感覚（締付感）等、多彩な触感や新たな感覚を提示することが可能となる。
【００４５】  図９及び図１０中に示すように、フィードバックユニット２の数を１６個とした場合、ユーザの肩、胸、腹、背中に加え、例えば、ユーザの腕（上腕、前腕）と対向する位置に、フィードバックユニット２を配置する。  なお、フィードバックユニット２の数に関わらず、フィードバックユニット２を配置する位置は、例えば、異環境の内容に応じた位置（腰、脇、脇腹等）とすることが可能である。  第１実施形態では、フィードバックユニット２を取り付ける衣服Ｗを、ユーザが上半身に着用する衣服（チョッキ）としたが、これに限定するものではなく、衣服Ｗを、例えば、ユーザが下半身に着用する衣服（タイツ等）としてもよい。また、フィードバックユニット２を取り付ける衣服Ｗを、ユーザが上半身及び下半身に着用する衣服としてもよい。
【００４６】  第１実施形態では、フィードバック演算部６の構成を、異環境と操作対象の状態に応じて、アクチュエータ２３の動作と温度変化部２２の動作を制御する制御信号を演算する構成としたが、これに限定するものではない。  すなわち、例えば、異環境において操作対象が鎧を装着している設定である場合、鎧によってユーザの身体に負荷が加わる部分（肩等）に配置した変形インターフェース２１を、予め、他の変形インターフェース２１よりも膨らませてもよい。  また、例えば、異環境において操作対象がリュックサック等を背負っている設定である場合、ユーザの身体に負荷が加わる部分（肩及び腰等）に配置した変形インターフェース２１を、予め、他の変形インターフェース２１よりも膨らませてもよい。
【００４７】  第１実施形態では、変形インターフェース２１と温度変化部２２を含むフィードバックユニット２を、ユーザに対して予め設定した位置を押圧するように配置したが、これに限定するものではない。すなわち、例えば、図１２中に示すように、変形インターフェース２１と温度変化部２２との間に、ユーザの体型に応じて変形可能な変形部材Ｅを配置してもよい。なお、図１２中には、一つの変形インターフェース２１を保持する隔壁Ｄを図示している。隔壁Ｄは、ユーザの身体の表面に沿った方向への変形インターフェース２１の変形を規制する変形規制部材を形成する。  この場合、例えば、変形インターフェース２１を、最外層シート部材ＯＳと第一伸縮性シート部材ＥＳ１との間に配置する。また、温度変化部２２を、第二伸縮性シート部材ＥＳ２と断熱シート部材ＡＳとの間に配置する。また、断熱シート部材ＡＳとユーザの身体との間には、最内層シート部材ＩＳを配置する。
【００４８】  最外層シート部材ＯＳは、伸縮性の低い厚手の布で形成する。第一伸縮性シート部材ＥＳ１は、最外層シート部材ＯＳよりも伸縮性の高い薄手の布で形成する。第二伸縮性シート部材ＥＳ２は、最外層シート部材ＯＳよりも伸縮性の高い薄手の布で形成する。断熱シート部材ＡＳは、ウレタンシートで形成する。最内層シート部材ＩＳは、最外層シート部材ＯＳよりも伸縮性の高い薄手の布で形成する。変形部材Ｅは、例えば、ビーズを組み合わせて構成したクッションや、ゲル状の材料等、弾性を有する材料を用いて形成する。  したがって、断熱シート部材ＡＳは、ユーザと温度変化部２２との間に配置され、且つ温度変化部２２からユーザへの熱伝導率を低下させる熱伝導率低下部材を形成する。
【００４９】  また、図１３中に示すように、複数の変形インターフェース２１を、最外層シート部材ＯＳと第一伸縮性シート部材ＥＳ１との間に形成された空間に、隣接させて配置してもよい。  また、図１３中に示すように、最外層シート部材ＯＳの外側（ユーザから遠い側）に、振動アクチュエータ２４を配置してもよい。  振動アクチュエータ２４は、例えば、積層した圧電素子と振動板を用いて形成されており、ユーザへ振動をフィードバックすることが可能である。
【００５０】  振動アクチュエータ２４を配置した構成とすることで、フィードバック演算部６が、例えば、以下の演算を行うことが可能となる。  まず、異環境出力部４から出力している異環境が、駆除の対象となる物体（害獣、空想上の生物等）が存在する環境（草原等）であり、操作対象が、ゲームに登場する人物である場合について説明する。  そして、異環境において、操作対象が、所持している銃を手と肩で支持した状態で、駆除の対象となる物体へ向けて弾丸を発射する動作を行った場合について説明する。
【００５１】  この場合、フィードバック演算部６は、まず、操作対象が銃を手と肩で支持した時点で、肩と対向する位置に配置されている変形インターフェース２１が膨らむように、制御信号を演算する。その後、フィードバック演算部６は、操作対象が弾丸を発射すると、振動アクチュエータ２４を作動するように、制御信号を演算する。これにより、発射の衝撃を振動としてユーザにフィードバックする。  以上により、変形インターフェース２１の構成は、ユーザの予め設定した部位に装着する構成に限定するものではなく、ユーザの予め設定した部位を含む範囲に装着してもよい。この場合、フィードバック演算部６の構成は、変形インターフェース２１を装着した範囲のうち、ユーザが選択した部位や、操作対象が得ていると推定される触覚の変化に応じて、変形インターフェース２１の形状を変化させる制御を行う構成としてもよい。  同様に、温度変化部２２の構成は、ユーザの予め設定した部位に装着する構成に限定するものではなく、ユーザの予め設定した部位を含む範囲に装着してもよい。この場合、フィードバック演算部６の構成は、変形インターフェース２１を装着した範囲のうち、ユーザが選択した部位や、操作対象が知覚していると推定される温度の変化に応じて、温度変化部２２の温度を変化させる制御を行う構成としてもよい。
【００５２】  第１実施形態では、電子デバイス１の構成を、フィードバックユニット２と、総合コントローラ３と、異環境出力部４と、操作部５と、フィードバック演算部６を備える構成としたが、これに限定するものではない。すなわち、例えば、電子デバイス１の構成を、変形インターフェース２１と温度変化部２２を含むフィードバックユニット２のみを備える構成としてもよい。この場合、総合コントローラ３と、異環境出力部４と、操作部５と、フィードバック演算部６は、例えば、サーバ等が備える構成とし、サーバと電子デバイス１との間で、有線、または、無線により通信を行う構成とする。
【００５３】  第１実施形態では、フィードバックユニット２と、総合コントローラ３と、異環境出力部４と、操作部５と、フィードバック演算部６の全てをユーザの身体に装着する、自己完結型の構成としたが、これに限定するものではない。すなわち、例えば、総合コントローラ３と、異環境出力部４と、フィードバック演算部６を、サーバ等が備える構成とし、サーバと電子デバイス１との間で、有線、または、無線により通信を行う構成としてもよい。したがって、アクチュエータ制御部３１と温度制御部３２が、電子デバイス１の外（外部）に存在する構成としてもよい。同様に、電子デバイス１を備えるフィードバックシステム１０の構成は、アクチュエータ制御部３１と温度制御部３２が、電子デバイス１の外（外部）に存在する構成としてもよい。
【００５４】  （第２実施形態）  ＜フィードバックシステムの構成＞  第２実施形態に係るフィードバックシステム１０は、第１実施形態に係るフィードバックシステム１０と同様、電子デバイス１を備える（図１を参照）。なお、以降の説明では、上述した第１実施形態と同様の構成について、説明を省略する場合がある。  フィードバックシステム１０は、異環境下の操作対象を実環境下で操作するユーザに対して、触覚の変化及び温度の変化をフィードバックシステムするシステムである。第２実施形態では、第１実施形態と同様、一例として、異環境を、ディスプレイに操作対象が表示されるゲームとした場合について説明する。
【００５５】  ＜電子デバイスの構成＞  電子デバイス１は、複数のフィードバックユニット２と、総合コントローラ３と、異環境出力部４と、操作部５と、フィードバック演算部６を備える（図１を参照）。
【００５６】  複数のフィードバックユニット２は、図１４中に示すように、ユーザが履く靴のインソールＳＩのうち、ユーザの足裏と対向する面（上面）に取り付けられている。  第２実施形態では、インソールＳＩに、８個のフィードバックユニット２を取り付ける場合について説明する。  したがって、変形インターフェース２１は、ユーザの足裏を押圧する位置に配置されており、ユーザの足裏を押圧可能である。
【００５７】  また、８個のフィードバックユニット２は、ユーザの足裏のうち、土踏まずを除く領域に配置されている。  総合コントローラ３と、異環境出力部４と、操作部５の構成については、説明を省略する。
【００５８】  フィードバック演算部６は、異環境出力部４から出力している異環境と、操作部５を用いて操作している操作対象の状態に応じて、アクチュエータ２３の動作と温度変化部２２の動作を制御する制御信号を演算する。
【００５９】  以下、フィードバック演算部６が行う演算の例を説明する。  なお、以下の説明は、変形インターフェース２１が膨らんでいる状態を前提とする。この場合、変形インターフェース２１の膨らみ度合いは、例えば、５０％程度とする。
【００６０】  まず、異環境出力部４から出力している異環境が、乾燥した地面とぬかるんだ地面が混在する環境であり、操作対象が、ゲームに登場する人物である場合について説明する。  そして、異環境下を移動する操作対象が、乾燥した地面からぬかるんだ地面へ移動した場合について説明する。  この場合、フィードバック演算部６は、膨らんでいる変形インターフェース２１が収縮するように、制御信号を演算する。
【００６１】  次に、異環境出力部４から出力している異環境が、乾燥した地面と積雪した地面が混在する環境である場合について説明する。  そして、異環境下を移動する操作対象が、乾燥した地面から積雪した地面へ移動した場合について説明する。
【００６２】  この場合、フィードバック演算部６は、膨らんでいる変形インターフェース２１が収縮するように、制御信号を演算する。  これに加え、フィードバック演算部６は、膨らんでいる変形インターフェース２１が収縮した後に温度変化部２２の温度が低下するように、制御信号を演算する。
【００６３】  次に、異環境出力部４から出力している異環境が、砂漠と木陰が混在する環境である場合について説明する。  そして、異環境下を移動する操作対象が、木陰から砂漠へ移動した場合について説明する。
【００６４】  この場合、フィードバック演算部６は、膨らんでいる変形インターフェース２１が収縮するように、制御信号を演算する。  これに加え、フィードバック演算部６は、膨らんでいる変形インターフェース２１が収縮した後に温度変化部２２の温度が上昇するように、制御信号を演算する。
【００６５】  次に、異環境出力部４から出力している異環境が、乾燥した地面と岩盤が混在する環境である場合について説明する。  そして、異環境下を移動する操作対象が、乾燥した地面から岩盤へ移動した場合について説明する。  この場合、フィードバック演算部６は、膨らんでいる変形インターフェース２１がさらに膨らむように、制御信号を演算する。
【００６６】  次に、異環境出力部４から出力している異環境が、地面に枯れ葉や枝が落ちている森林（ジャングル）である場合について説明する。  そして、異環境下を移動する操作対象が、地面に落ちている枝を踏んだ場合について説明する。  この場合、フィードバック演算部６は、直線状に配置されている変形インターフェース２１が収縮するように、制御信号を演算する。
【００６７】  次に、異環境出力部４から出力している異環境が、乾燥した地面と腐敗した木製の橋が混在する環境である場合について説明する。  そして、異環境下を移動する操作対象が、乾燥した地面から橋へ移動した後、さらに、橋から乾燥した地面へ場合について説明する。  この場合、フィードバック演算部６は、乾燥した地面から橋へ移動したタイミングで、膨らんでいる変形インターフェース２１が収縮するように、制御信号を演算する。その後、橋から乾燥した地面へ移動したタイミングで、収縮した変形インターフェース２１が膨らむように、制御信号を演算する。
【００６８】  以上により、フィードバック演算部６は、異環境下における操作対象の動作に応じて、アクチュエータ２３に供給する流体の速度や、アクチュエータ２３から排出する流体の速度を変化させることで、足裏にフィードバックする触覚を変化させる。
【００６９】  ＜フィードバック制御方法＞  第２実施形態のフィードバック制御方法は、第１実施形態に係るフィードバック制御方法と同様であるため、説明を省略する。
【００７０】  第２実施形態の構成であれば、異環境下で操作対象に発生した触覚及び温度の変化をユーザの足裏にフィードバックすることが可能な電子デバイス１を提供することが可能となる。
【００７１】  第２実施形態の構成であれば、異環境下で操作対象に発生した触覚及び温度の変化をユーザの足裏にフィードバックすることが可能な電子デバイス１を含むフィードバックシステム１０を提供することが可能となる。
【００７２】  第２実施形態の構成であれば、異環境下で操作対象に発生した触覚及び温度の変化をユーザの足裏にフィードバックすることが可能な電子デバイス１を用いたフィードバック制御方法を提供することが可能となる。
【００７３】  第２実施形態の構成であれば、フィードバックユニット２を、ユーザの足裏のうち、土踏まずを除く領域に配置しているため、ユーザに、足が外側に傾く感覚をフィードバックすることが可能となる。  また、フィードバックユニット２を、ユーザの足裏のうち、足の骨（中足骨等）の形状に対応した位置に配置している。このため、少ない数のフィードバックユニット２を用いて、異環境下で操作対象に発生した触覚の変化をユーザの足裏にフィードバックすることが可能となる。  また、例えば、踵と対向する位置に配置されている変形インターフェース２１を、他の位置に配置されている変形インターフェース２１よりも膨らませることで、ユーザに、踵が高い靴（ハイヒール等）を履いている間隔をフィードバックすることが可能となる。
【００７４】  第２実施形態の構成であれば、ユーザが右足に履く靴のインソールＳＩに取り付けたフィードバックユニット２と、ユーザが左足に履く靴のインソールＳＩに取り付けたフィードバックユニット２に対し、それぞれに異なる制御を行うことが可能である。これにより、例えば、ユーザに対し、バランス感覚を誤認識させることや、坂道等の傾斜面を移動している間隔をフィードバックすることが可能となる。
【００７５】  第２実施形態の構成であれば、アクチュエータ２３から短時間で流体を排出することで、例えば、ユーザの足裏に落下している触覚をフィードバックすることが可能となる。また、アクチュエータ２３へ流体の供給と排出とを交互に行うことで、例えば、ユーザの足裏に振動している触覚をフィードバックすることが可能となる。これにより、ユーザの足裏に、落下している触覚及び振動している触覚をフィードバックすることで、ユーザに、歩行している足下の床面等にヒビが入る感覚や、足下の床面等が抜ける感覚をフィードバックすることが可能となる。
【００７６】  第２実施形態の構成であれば、異環境として屋外（市街地、森林等）を出力し、実環境には手すり等のユーザが保持可能な設備を設置することで、例えば、傷病者等に対する歩行訓練やリハビリに対し、実環境とは異なる新たな環境を提供することが可能となる。  第２実施形態の構成であれば、流体によって変形インターフェース２１の形状を変化させる。このため、例えば、異環境が地面に枯れ葉や枝等が落ちている環境である場合等に、ユーザへ、接触感や振動感に加え、地面の凹凸を感じる感覚（凹凸感）等、多彩な触感や新たな感覚を提示することが可能となる。また、例えば、異環境が乾燥した地面とぬかるんだ地面が混在する環境である場合等に、ユーザへ、接触感や振動感に加え、地面の硬さの違いを感じる感覚（硬軟感）等、多彩な触感や新たな感覚を提示することが可能となる。
【００７７】  （第２実施形態の変形例）  第２実施形態では、フィードバックユニット２を、ユーザの足裏のうち、土踏まずを除く領域に配置したが、これに限定するものではない。すなわち、例えば、図１５中に示すように、フィードバックユニット２を、ユーザの足裏のうち、踵、指、拇指球等と対向する領域に配置してもよい。
【００７８】  第２実施形態では、フィードバックユニット２の数を８個としたが、これに限定するものではなく、フィードバックユニット２の数を、例えば、図１６及び図１７中に示すように、１６個としてもよい。また、フィードバックユニット２の数を、例えば、図１８中に示すように、３２個としてもよく、例えば、図１９中に示すように、６４個としてもよい。
【００７９】  第２実施形態では、フィードバックユニット２をインソールＳＩに取り付けたが、これに限定するものではなく、フィードバックユニット２を、例えば、図２０中に示すように、足置き台ＦＴの上面に取り付けてもよい。  この場合、図２０中に示すように、足置き台ＦＴに、ユーザの足を任意の位置に固定するための固定バンドを設けることで、ユーザの足裏に対し、適切な位置に、異環境下で操作対象に発生した触覚及び温度の変化をフィードバックすることが可能となる。
【００８０】  第２実施形態では、フィードバックユニット２を、ユーザの足裏と対向する位置に配置したが、これに限定するものではなく、例えば、図２１から図２３中に示すように、フィードバックユニット２を、ユーザの足の甲と対向する位置に配置してもよい。なお、図２１中には、変形インターフェース２１が萎んでいる状態を示し、図２２中には、変形インターフェース２１が膨らんでいる状態を示す。また、図２１及び図２２は、インソールＳＩを、ユーザが履く靴Ｓに取り付けた状態を示す。  この場合、例えば、足の甲と対向する位置に配置したフィードバックユニット２を、足裏と対向する位置に配置したフィードバックユニット２よりも膨らませることで、例えば、地面から出てきた手で足を掴まれたような感覚をフィードバックすることが可能となる。  したがって、例えば、異環境が、ボールを蹴る場所（サッカーグラウンド等）であり、ユーザが選手としてボールを蹴る動作を行うと、ユーザの足の甲と対向する位置に配置したフィードバックユニット２を膨らませる制御を行ってもよい。
【００８１】  （第３実施形態）  ＜フィードバックシステムの構成＞  第３実施形態に係るフィードバックシステム１０は、第１実施形態に係るフィードバックシステム１０と同様、電子デバイス１を備える（図１を参照）。なお、以降の説明では、上述した第１実施形態と同様の構成について、説明を省略する場合がある。  フィードバックシステム１０は、異環境下の操作対象を実環境下で操作するユーザに対して、触覚の変化及び温度の変化をフィードバックシステムするシステムである。第３実施形態では、第１実施形態と同様、一例として、異環境を、ディスプレイに操作対象が表示されるゲームとした場合について説明する。
【００８２】  ＜電子デバイスの構成＞  電子デバイス１は、複数のフィードバックユニット２と、総合コントローラ３と、異環境出力部４と、操作部５と、フィードバック演算部６を備える（図１を参照）。
【００８３】  複数のフィードバックユニット２は、図２４及び図２５中に示すように、ユーザが両手に装着する手袋Ｇの内面（ユーザの手と対向する面）に取り付けられている。なお、以降の説明では、左右の手を区別する場合に、ユーザが右手に装着する手袋Ｇを「右手袋ＧＲ」、ユーザが左手に装着する手袋Ｇを「左手袋ＧＬ」と記載する場合がある。  したがって、変形インターフェース２１は、ユーザの手を押圧する位置に配置されており、ユーザの手を押圧可能である。  第３実施形態では、手袋Ｇに、８個のフィードバックユニット２を取り付ける場合について説明する。
【００８４】  また、８個のフィードバックユニット２は、ユーザの手のうち、指先と対向する五か所の位置と、親指の付け根と対向する位置と、掌の中心と対向する位置と、手の甲の中心と対向する位置に配置されている。  フィードバックユニット２が含む変形インターフェース２１は、図２６中に示すように、フィードバックユニット２が含む温度変化部２２よりも、ユーザの手（指）に近い側に配置されている。なお、図２６中には、説明のために、手袋Ｇを装着したユーザの指Ｆを図示している。  総合コントローラ３と、異環境出力部４と、操作部５の構成については、説明を省略する。
【００８５】  フィードバック演算部６は、異環境出力部４から出力している異環境と、操作部５を用いて操作している操作対象の状態に応じて、アクチュエータ２３の動作と温度変化部２２の動作を制御する制御信号を演算する。
【００８６】  以下、フィードバック演算部６が行う演算の例を説明する。  なお、以下の説明は、変形インターフェース２１が収縮している状態を前提とする。
【００８７】  まず、異環境出力部４から出力している異環境が、湯が入ったコップがテーブルの上に置いてある環境であり、操作対象が、ゲームに登場する人物である場合について説明する。  そして、異環境下において、湯が入ったコップを手でつかむ動作を行う場合について説明する。
【００８８】  この場合、フィードバック演算部６は、指先と対向する位置に配置した変形インターフェース２１のみが膨らむように、制御信号を演算する。  これに加え、フィードバック演算部６は、指先と対向する位置に配置した温度変化部２２の温度が上昇するように、制御信号を演算する。
【００８９】  次に、異環境出力部４から出力している異環境が、草原と湖が混在する環境である場合について説明する。  そして、異環境下で草原に座っている操作対象が、手を湖に入れる動作を行う場合について説明する。
【００９０】  この場合、フィードバック演算部６は、指先と対向する位置に配置した変形インターフェース２１が膨らんだ後に、残りの変形インターフェース２１が膨らむように、制御信号を演算する。  これに加え、フィードバック演算部６は、指先と対向する位置に配置した温度変化部２２の温度が低下した後に、残りの温度変化部２２の温度が低下するように、制御信号を演算する。
【００９１】  次に、異環境出力部４から出力している異環境が、ユーザが操作する操作対象（自キャラクタ）の近くに、他人を模した操作対象（敵キャラクタ）が存在する環境である場合について説明する。  そして、異環境下において、敵キャラクタが自キャラクタへ向けて拳による打撃を行い、自キャラクタが右手で打撃を受けとめた後、左手で敵キャラクタが打撃を行った腕をつかむ動作を行う場合について説明する。
【００９２】  この場合、フィードバック演算部６は、右手袋ＧＲに取り付けた変形インターフェース２１のうち、掌の中心と対向する位置に配置した変形インターフェース２１が膨らむように、制御信号を演算する。その後、左手袋ＧＬに取り付けた変形インターフェース２１のうち、親指の付け根及び掌の中心と対向する位置に配置した変形インターフェース２１が膨らむように、制御信号を演算する。さらに、左手袋ＧＬに取り付けた変形インターフェース２１のうち、指の先端と対向する位置に配置した変形インターフェース２１が膨らむように、制御信号を演算する。  これに加え、フィードバック演算部６は、右手袋ＧＲに取り付けた変形インターフェース２１のうち、掌の中心と対向する位置に配置した変形インターフェース２１が膨らんだ後に、膨らんだ温度変化部２２の温度が上昇するように、制御信号を演算する。さらに、左手袋ＧＬに取り付けた変形インターフェース２１のうち、親指の付け根及び掌の中心と対向する位置に配置した変形インターフェース２１が膨らんだ後に、膨らんだ温度変化部２２の温度が上昇するように、制御信号を演算する。これに加え、左手袋ＧＬに取り付けた変形インターフェース２１のうち、指の先端と対向する位置に配置した変形インターフェース２１が膨らんだ後に、膨らんだ温度変化部２２の温度が上昇するように、制御信号を演算する。
【００９３】  次に、異環境出力部４から出力している異環境が、湯が入ったコップと、氷及び水が入ったコップが、テーブルの上に置いてある環境である場合について説明する。  そして、異環境下において、湯が入ったコップを右手でつかむとともに、氷及び水が入ったコップを左手でつかむ動作を行う場合について説明する。
【００９４】  この場合、フィードバック演算部６は、右手袋ＧＲに取り付けた変形インターフェース２１のうち、指先と対向する位置に配置した変形インターフェース２１のみが膨らむように、制御信号を演算する。これに加え、左手袋ＧＬに取り付けた変形インターフェース２１のうち、指先と対向する位置に配置した変形インターフェース２１のみが膨らむように、制御信号を演算する。  さらに、フィードバック演算部６は、右手袋ＧＲに取り付けた変形インターフェース２１のうち、指先と対向する位置に配置した変形インターフェース２１が膨らんだ後に、膨らんだ温度変化部２２の温度が上昇するように、制御信号を演算する。さらに、左手袋ＧＬに取り付けた変形インターフェース２１のうち、指先と対向する位置に配置した変形インターフェース２１が膨らんだ後に、膨らんだ温度変化部２２の温度が低下するように、制御信号を演算する。
【００９５】  ＜フィードバック制御方法＞  第３実施形態のフィードバック制御方法は、第１実施形態に係るフィードバック制御方法と同様であるため、説明を省略する。
【００９６】  第３実施形態の構成であれば、異環境下で操作対象に発生した触覚及び温度の変化をユーザの手（両手または片手）にフィードバックすることが可能な電子デバイス１を提供することが可能となる。
【００９７】  第３実施形態の構成であれば、異環境下で操作対象に発生した触覚及び温度の変化をユーザの手（両手または片手）にフィードバックすることが可能な電子デバイス１を含むフィードバックシステム１０を提供することが可能となる。
【００９８】  第３実施形態の構成であれば、異環境下で操作対象に発生した触覚及び温度の変化をユーザの手（両手または片手）にフィードバックすることが可能な電子デバイス１を用いたフィードバック制御方法を提供することが可能となる。  第３実施形態の構成であれば、流体によって変形インターフェース２１の形状を変化させる。このため、例えば、異環境が自キャラクタの近くに他人を模した他キャラクタが存在する環境であり、異環境下において、自キャラクタが他キャラクタの腕等をつかむ動作を行う場合等に、ユーザへ、接触感や振動感に加え、生物をつかんだ感覚（生き物感）等、多彩な触感や新たな感覚を提示することが可能となる。
【００９９】  （第３実施形態の変形例）  第３実施形態では、フィードバックユニット２の数を８個としたが、これに限定するものではなく、フィードバックユニット２の数を、例えば、図２７及び図２８中に示すように、１６個としてもよい。  この場合、指先、親指の付け根、掌の中心及び手の甲の中心と対向する位置に加え、例えば、掌の手首寄り、手の甲の手首寄り、手の甲における親指の付け根、親指を除く指の第二関節と対向する位置に、フィードバックユニット２を配置する。
【０１００】  第３実施形態では、変形インターフェース２１を、温度変化部２２よりもユーザに近い側に配置したが、これに限定するものではなく、例えば、図２９中に示すように、温度変化部２２を、変形インターフェース２１よりもユーザに近い側に配置してもよい。  この場合、例えば、図３０中に示すように、温度変化部２２とユーザの手（指）との間に配置した防護シートＧＳを備える構成としてもよい。これにより、温度変化部２２を上昇させた場合であっても、低温火傷等の発生を抑制することが可能となる。  したがって、防護シートＧＳは、ユーザと温度変化部２２との間に配置され、且つ温度変化部２２からユーザへの熱伝導率を低下させる熱伝導率低下部材を形成する。
【０１０１】  第３実施形態では、変形インターフェース２１を、温度変化部２２よりもユーザに近い側に配置したが、これに限定するものではなく、例えば、図３１中に示すように、変形インターフェース２１と温度変化部２２とを、ユーザに対して同じ距離に配置してもよい。
【０１０２】  第３実施形態では、変形インターフェース２１を、温度変化部２２よりもユーザに近い側に配置したが、これに限定するものではなく、例えば、図３２中に示すように、変形インターフェース２１の内部に、温度変化部２２を収容してもよい。これにより、温度変化部２２を変形インターフェース２１よりもユーザに近い側に配置する構成と比較して、変形インターフェース２１の変形をユーザにフィードバックしやすくすることが可能となる。  この場合、例えば、図３２中に示すように、温度変化部２２とユーザの手（指）との間に配置した防護シートＧＳを備える構成としてもよい。
【０１０３】  第３実施形態では、変形インターフェース２１を、温度変化部２２よりもユーザに近い側に配置したが、これに限定するものではない。すなわち、例えば、図３３中に示すように、変形インターフェース２１の内部に温度変化部２２を収容し、さらに、温度変化部２２を、手袋Ｇの内面に固定した構成としてもよい。これにより、変形インターフェース２１が、温度変化部２２の温度からユーザを防護する機能を奏することとなり、温度変化部２２を上昇させた場合であっても、低温火傷等の発生を抑制することが可能となる。
【０１０４】  （第４実施形態）  ＜フィードバックシステムの構成＞  第４実施形態に係るフィードバックシステム１０は、第１実施形態に係るフィードバックシステム１０と同様、電子デバイス１を備える（図１を参照）。なお、以降の説明では、上述した第１実施形態と同様の構成について、説明を省略する場合がある。  フィードバックシステム１０は、異環境下の操作対象を実環境下で操作するユーザに対して、触覚の変化及び温度の変化をフィードバックシステムするシステムである。第４実施形態では、第１実施形態と同様、一例として、異環境を、ディスプレイに操作対象が表示されるゲームとした場合について説明する。
【０１０５】  ＜電子デバイスの構成＞  電子デバイス１は、複数のフィードバックユニット２と、総合コントローラ３と、異環境出力部４と、操作部５と、フィードバック演算部６を備える（図１を参照）。
【０１０６】  複数のフィードバックユニット２は、衣服Ｗと、インソールＳＩと、手袋Ｇ（右手袋ＧＲ、左手袋ＧＬ）に取り付けられている（図２から図４、図１４から図２３、図２４から図３３を参照）。  したがって、変形インターフェース２１は、ユーザの上半身と、ユーザの足裏と、ユーザの手を押圧する位置に配置されており、ユーザの上半身と、足裏及び手を押圧可能である。
【０１０７】  総合コントローラ３と、異環境出力部４と、操作部５の構成については、説明を省略する。  フィードバック演算部６は、異環境出力部４から出力している異環境と、操作部５を用いて操作している操作対象の状態に応じて、アクチュエータ２３の動作と温度変化部２２の動作を制御する制御信号を演算する。
【０１０８】  以下、フィードバック演算部６が行う演算の例を説明する。
【０１０９】  まず、異環境出力部４から出力している異環境が、温水が入った湯船が設置されている浴室であり、操作対象が、ゲームに登場する人物である場合について説明する。なお、以下の説明は、変形インターフェース２１が収縮しているとともに、温度変化部２２の温度が常温である状態を前提とする。  そして、異環境下において、ユーザが足先から湯船に浸かる動作を行う場合について説明する。
【０１１０】  この場合、フィードバック演算部６は、インソールＳＩに配置した変形インターフェース２１、衣服Ｗに配置した変形インターフェース２１、手袋Ｇに配置した変形インターフェース２１の順で膨らむように、制御信号を演算する。  インソールＳＩに配置した変形インターフェース２１を膨らませる制御は、例えば、足先と対向する位置に配置した変形インターフェース２１を起点として、踵と対向する位置に配置した変形インターフェース２１まで順に行う。  衣服Ｗに配置した変形インターフェース２１を膨らませる制御は、例えば、腰と対向する位置に配置した変形インターフェース２１を起点として、肩と対向する位置に配置した変形インターフェース２１まで順に行う。  手袋Ｇに配置した変形インターフェース２１を膨らませる制御は、例えば、指先と対向する位置に配置した変形インターフェース２１を起点として、手首に近い側と対向する位置に配置した変形インターフェース２１まで順に行う。
【０１１１】  これに加え、フィードバック演算部６は、インソールＳＩに配置した温度変化部２２、衣服Ｗに配置した温度変化部２２、手袋Ｇに配置した温度変化部２２の順で温度が上昇するように、制御信号を演算する。  インソールＳＩに配置した温度変化部２２を上昇させる制御は、例えば、足先と対向する位置に配置した温度変化部２２を起点として、踵と対向する位置に配置した温度変化部２２まで順に行う。  衣服Ｗに配置した温度変化部２２を上昇させる制御は、例えば、腰と対向する位置に配置した温度変化部２２を起点として、肩と対向する位置に配置した温度変化部２２まで順に行う。  手袋Ｇに配置した温度変化部２２を上昇させる制御は、例えば、指先と対向する位置に配置した温度変化部２２を起点として、手首に近い側と対向する位置に配置した温度変化部２２まで順に行う。
【０１１２】  次に、異環境出力部４から出力している異環境が、砂漠の中に建築物が存在する環境である場合について説明する。なお、以下の説明は、変形インターフェース２１が５０％程度の膨らみ度合いで膨らんでいるとともに、温度変化部２２の温度が常温である状態を前提とする。  そして、異環境下を移動する操作対象が、建築物から出て砂漠へ移動した場合について説明する。
【０１１３】  この場合、フィードバック演算部６は、インソールＳＩに配置した変形インターフェース２１のみが収縮するように、制御信号を演算する。  これに加え、フィードバック演算部６は、衣服Ｗ及び手袋Ｇに配置した温度変化部２２の温度が上昇するように、制御信号を演算する。さらに、フィードバック演算部６は、インソールＳＩに配置した変形インターフェース２１が収縮した後に、インソールＳＩに配置した温度変化部２２の温度が、衣服Ｗ及び手袋Ｇに配置した温度変化部２２の温度が上昇するように、制御信号を演算する。
【０１１４】  次に、異環境出力部４から出力している異環境が、銃弾や砲弾等が飛び交う環境（戦場等）である場合について説明する。なお、以下の説明は、変形インターフェース２１が収縮しているとともに、温度変化部２２の温度が常温である状態を前提とする。  そして、異環境において、操作対象の右側にある地面に、砲弾が着弾して破裂した場合について説明する。  この場合、フィードバック演算部６は、右手袋ＧＲに配置した変形インターフェース２１、衣服Ｗ及びインソールＳＩに配置した変形インターフェース２１、左手袋ＧＬに配置した変形インターフェース２１の順で膨らむように、制御信号を演算する。
【０１１５】  衣服Ｗに配置した変形インターフェース２１を膨らませる制御は、例えば、右肩と対向する位置に配置した変形インターフェース２１を起点として、左肩と対向する位置に配置した変形インターフェース２１まで順に行う。  これに加え、フィードバック演算部６は、右手袋ＧＲに配置した温度変化部２２、衣服Ｗ及びインソールＳＩに配置した温度変化部２２、左手袋ＧＬに配置した温度変化部２２の順で温度が上昇するように、制御信号を演算する。  衣服Ｗに配置した温度変化部２２を上昇させる制御は、例えば、右肩と対向する位置に配置した変形インターフェース２１を起点として、左肩と対向する位置に配置した変形インターフェース２１まで順に行う。
【０１１６】  次に、異環境出力部４から出力している異環境が、焚き火を焚いている乾燥した地面である場合について説明する。なお、以下の説明は、変形インターフェース２１が収縮しているとともに、温度変化部２２の温度が常温である状態を前提とする。  そして、異環境下において、地面に座っているユーザが焚き火に向けて両手の掌を突き出している場合について説明する。
【０１１７】  この場合、フィードバック演算部６は、インソールＳＩに配置した変形インターフェース２１のみが膨らむように、制御信号を演算する。  これに加え、フィードバック演算部６は、手袋Ｇに配置した温度変化部２２、インソールＳＩに配置した温度変化部２２、衣服Ｗに配置した温度変化部２２の順で温度が上昇するように、制御信号を演算する。  手袋Ｇに配置した温度変化部２２を上昇させる制御は、掌と対向する位置に配置した温度変化部２２、手の甲と対向する位置に配置した温度変化部２２の順に行う。
【０１１８】  次に、異環境出力部４から出力している異環境が、砂漠の中に建築物が存在する環境である場合について説明する。なお、以下の説明は、変形インターフェース２１が５０％程度の膨らみ度合いで膨らんでいるとともに、温度変化部２２の温度が常温である状態を前提とする。  そして、他ユーザが操作する操作対象が建築物に存在しており、自ユーザが操作する操作対象が建築物から出て砂漠へ移動した場合について説明する。
【０１１９】  この場合、フィードバック演算部６は、インソールＳＩに配置した変形インターフェース２１のみが収縮するように、制御信号を演算する。  これに加え、フィードバック演算部６は、衣服Ｗ及び手袋Ｇに配置した温度変化部２２の温度が上昇するように、制御信号を演算する。さらに、フィードバック演算部６は、インソールＳＩに配置した変形インターフェース２１が収縮した後に、インソールＳＩに配置した温度変化部２２の温度が、衣服Ｗ及び手袋Ｇに配置した温度変化部２２の温度が上昇するように、制御信号を演算する。このとき、フィードバック演算部６は、他のユーザが装着している温度変化部の温度よりも、自ユーザが装着している温度変化部２２の温度が高くなるように、制御信号を演算する。
【０１２０】  次に、異環境出力部４から出力している異環境が、海岸線である場合について説明する。なお、以下の説明は、変形インターフェース２１が収縮しているとともに、温度変化部２２の温度が常温である状態を前提とする。  そして、異環境下において、操作対象が足先から海に潜り、さらに、海底に沈んでいる物体をつかむ動作を行う場合について説明する。
【０１２１】  この場合、フィードバック演算部６は、操作対象が海に潜る際に、インソールＳＩに配置した変形インターフェース２１、手袋Ｇに配置した変形インターフェース２１、衣服Ｗに配置した変形インターフェース２１の順で膨らむように、制御信号を演算する。  これに加え、フィードバック演算部６は、操作対象が海に潜る際に、インソールＳＩに配置した温度変化部２２、手袋Ｇに配置した温度変化部２２、衣服Ｗに配置した温度変化部２２の順で温度が低下するように、制御信号を演算する。
【０１２２】  さらに、フィードバック演算部６は、海中に潜った操作対象が海底に到達すると、インソールＳＩに配置した変形インターフェース２１がさらに膨らむように、制御信号を演算する。  そして、海底を移動している操作対象が海底に沈んでいる物体をつかむ動作を行うと、手袋Ｇに配置した変形インターフェース２１がさらに膨らむように、制御信号を演算する。
【０１２３】  ＜フィードバック制御方法＞  第４実施形態のフィードバック制御方法は、第１実施形態に係るフィードバック制御方法と同様であるため、説明を省略する。
【０１２４】  第４実施形態の構成であれば、異環境下で操作対象に発生した触覚及び温度の変化を、ユーザの上半身、足裏及び手にフィードバックすることが可能な電子デバイス１を提供することが可能となる。
【０１２５】  第４実施形態の構成であれば、異環境下で操作対象に発生した触覚及び温度の変化を、ユーザの上半身、足裏及び手にフィードバックすることが可能な電子デバイス１を含むフィードバックシステム１０を提供することが可能となる。
【０１２６】  第４実施形態の構成であれば、異環境下で操作対象に発生した触覚及び温度の変化を、ユーザの上半身、足裏及び手にフィードバックすることが可能な電子デバイス１を用いたフィードバック制御方法を提供することが可能となる。
【０１２７】  （第４実施形態の変形例）  第４実施形態では、フィードバックユニット２を、衣服Ｗ、インソールＳＩ及び手袋Ｇに取り付けたが、これに限定するものではなく、フィードバックユニット２を、さらに、頭部と対向する部材（ゴーグル等）に取り付けてもよい。  この場合、例えば、異環境が、ボールをヘディングする場所（サッカーグラウンド等）であり、ユーザが選手としてボールをヘディングする動作を行うと、ユーザの頭部と対向する位置に配置したフィードバックユニット２を膨らませる制御を行ってもよい。  また、例えば、異環境において操作対象が兜を装着している設定である場合、兜によってユーザの身体に負荷が加わる頭部と対向する位置に配置した変形インターフェース２１を、予め、他の変形インターフェース２１よりも膨らませてもよい。
【０１２８】  （第５実施形態）  ＜フィードバックシステムの構成＞  第５実施形態に係るフィードバックシステム１０は、図３４中に示すように、電子デバイス１を備える。  フィードバックシステム１０は、異環境下の操作対象を実環境下で操作するユーザに対して、触覚の変化及び温度の変化をフィードバックシステムするシステムである。第５実施形態では、一例として、異環境を、ディスプレイに操作対象が表示されるゲーム（テレビゲーム）とした場合について説明する。
【０１２９】  ＜電子デバイスの構成＞  電子デバイス１は、図３４中に示すように、複数のフィードバックユニット２と、総合コントローラ３と、異環境出力部４と、操作部５と、生体情報検出部７と、生体情報蓄積部８と、フィードバック演算部６を備える。なお、図３４中には、複数のフィードバックユニット２のうち、一つのみを示している。
【０１３０】  複数のフィードバックユニット２は、例えば、衣服Ｗに取り付けられている（図２から図４を参照）。  総合コントローラ３と、異環境出力部４と、操作部５の構成については、説明を省略する。
【０１３１】  生体情報検出部７は、ユーザの生体情報を検出する。  第５実施形態では、生体情報検出部７を、ヘッドマウントディスプレイに取り付けた複数の電極を用いて形成した場合について説明する。複数の電極は、ユーザの生体情報として脳波を検出する脳波センサを形成する。ユーザの生体情報としては、ユーザの脳血流、心拍数、呼吸、発汗量、血圧、体温、発声した声の大きさ等を採用することも可能である。なお、生体情報検出部７は、例えば、ユーザの顔画像（表情）を取得するイメージセンサであってもよい。また、ユーザの生体情報としてユーザの体温を採用する場合、例えば、温度変化部２２の温度を増加させた増加量に応じてユーザの体温の検出値を減少補正する等、温度変化部２２の温度変化に応じて、ユーザの生体情報を検出してもよい。
【０１３２】  生体情報蓄積部８は、生体情報検出部７が検出した生体情報の変動量を、異環境下の状況に対応させて蓄積する。さらに、生体情報蓄積部８は、生体情報検出部７が検出した生体情報の変動量が、変動量閾値を超えている場合、変動量閾値を超えている状況を、変動量閾値に関連付けて記憶する。  ここで、変動量閾値は、予め設定してもよい。また、変動量閾値は、生体情報蓄積部８が蓄積している変動量を、ユーザによるフィードバックシステム１０や電子デバイス１の使用履歴と関連付けておき、蓄積している変動量と使用履歴とに応じて、ユーザ毎に自動で変化させて設定してもよい。  具体的には、大きな物体が急激に落ちてきた状況や、眼前の建築物が崩壊した状況等において、他の状況（通常の歩行時等）と比較してユーザの心拍数が大きく変動し、変動量閾値を超えている場合、心拍数の変動量を、異環境下の状況に対応させて蓄積する。
【０１３３】  フィードバック演算部６は、異環境出力部４から出力している異環境と、操作部５を用いて操作している操作対象の状態に応じて、アクチュエータ２３の動作と温度変化部２２の動作を制御する制御信号を演算する。  これに加え、フィードバック演算部６は、ユーザが操作対象を操作している状況と、生体情報検出部７が検出した生体情報の変動量と、生体情報蓄積部８が蓄積している生体情報の変動量に応じて、制御信号を演算する。
【０１３４】  以下、フィードバック演算部６が行う演算の例を説明する。  異環境出力部４から出力している異環境が、暴風雨の市街地であり、操作対象が、ゲームに登場する人物である場合について説明する。なお、以下の説明は、ユーザが同様の状況を複数回経験している状態を前提とする。
【０１３５】  そして、異環境において、操作対象の眼前に、大きな看板が落ちてきた場合について説明する。  この場合、フィードバック演算部６は、操作対象の眼前に大きな看板が落ちてきた状況（発生状況）が、生体情報蓄積部８が変動量閾値に関連付けて記憶している状況であるか否かを、判定する。
【０１３６】  さらに、発生状況が、生体情報蓄積部８が変動量閾値に関連付けて記憶している状況であると判定すると、変動量が変動量閾値以下の状況よりも大きい変化量でアクチュエータ２３の動作を制御するように、制御信号を演算する。  これに加え、変動量が変動量閾値以下の状況よりも大きい変化量で温度変化部２２の温度が上昇するように、制御信号を演算する。
【０１３７】  以上により、アクチュエータ制御部３１は、ユーザが操作対象を操作している状況が、変動量が変動量閾値を超えている状況では、変動量が変動量閾値以下の状況よりも大きい変化量でアクチュエータ２３の動作を制御する。また、温度制御部３２は、ユーザが操作対象を操作している状況が、変動量が変動量閾値を超えている状況では、変動量が変動量閾値以下の状況よりも大きい変化量で温度変化部２２の温度を制御する。
【０１３８】  ＜フィードバック制御方法＞  第５実施形態のフィードバックシステム１０を用いて行うフィードバック制御方法では、異環境下で操作対象に発生した触覚の変化をユーザにフィードバックするように、アクチュエータ２３の動作を制御する。これに加え、異環境下で操作対象に発生した温度の変化をユーザにフィードバックするように、温度変化部２２の温度を制御する。  さらに、ユーザが操作対象を操作している状況が、変動量が変動量閾値を超えている状況では、変動量が変動量閾値以下の状況よりも大きい変化量でアクチュエータ２３の動作を制御する。これに加え、ユーザが操作対象を操作している状況が、変動量が変動量閾値を超えている状況では、変動量が変動量閾値以下の状況よりも大きい変化量で温度変化部２２の温度を制御する。
【０１３９】  第５実施形態の構成であれば、異環境下でユーザの感動した状況や驚いた状況等を蓄積し、異環境が蓄積した状況となると、大きな変化量で触覚及び温度の変化をユーザにフィードバックすることが可能な電子デバイス１を提供することが可能となる。
【０１４０】  第５実施形態の構成であれば、異環境が蓄積したユーザの感動した状況や驚いた状況等となると、大きな変化量で触覚及び温度の変化をユーザにフィードバックすることが可能な電子デバイス１を含むフィードバックシステム１０を提供することが可能となる。
【０１４１】  第５実施形態の構成であれば、異環境が蓄積したユーザの感動した状況や驚いた状況等となると、大きな変化量で触覚及び温度の変化をユーザにフィードバックすることが可能な電子デバイス１を用いたフィードバック制御方法を提供することが可能となる。
【０１４２】（その他の実施形態）  上記のように、本技術の実施形態を記載したが、この開示の一部をなす論述及び図面は本技術を限定するものであると理解すべきではない。この開示から当業者には様々な代替実施形態、実施例及び運用技術が明らかとなろう。  その他、上記の実施形態において説明される各構成を任意に応用した構成等、本技術はここでは記載していない様々な実施形態等を含むことは勿論である。したがって、本技術の技術的範囲は上記の説明から妥当な特許請求の範囲に係る発明特定事項によってのみ定められるものである。
【０１４３】  また、本開示のフィードバックシステム、フィードバック制御方法、電子デバイスでは、上記の実施形態等で説明した各構成要素を全て備える必要はなく、また逆に他の構成要素を備えていてもよい。  なお、本明細書中に記載された効果はあくまで例示であって限定されるものでは無く、また他の効果があってもよい。
【０１４４】  なお、本技術は、以下のような構成を取ることが可能である。（１）  異環境下で動く操作対象を実環境下で操作するユーザの部位を押圧可能な変形インターフェースと、  前記変形インターフェースの形状を変化させるアクチュエータの動作を制御するアクチュエータ制御部と、  前記ユーザが部位で知覚する温度を変化可能な温度変化部と、  前記温度変化部の温度を制御する温度制御部と、を備え、  前記アクチュエータ制御部は、前記操作対象が得ていると推定される触覚の変化に基づいて前記アクチュエータの動作を制御し、  前記温度制御部は、前記操作対象が知覚していると推定される温度の変化に基づいて前記温度変化部の温度を制御するフィードバックシステム。（２）  異環境下で動く操作対象を実環境下で操作するユーザの部位を押圧可能な変形インターフェースの形状を変化させるアクチュエータの動作を、前記操作対象が得ていると推定される触覚の変化に基づいて制御し、  前記ユーザが部位で知覚する温度を変化可能な温度変化部の温度を、前記操作対象が知覚していると推定される温度の変化に基づいて制御するフィードバック制御方法。（３）  形状を変化可能な一つ以上の変形インターフェースと、  温度を変化可能な一つ以上の温度変化部と、を備え、  前記変形インターフェースは、異環境下で動く操作対象を実環境下で操作するユーザの部位を押圧可能であり、  前記温度変化部は、前記ユーザが部位で知覚する温度を変化可能である電子デバイス。（４）  前記操作対象が得ていると推定される触覚の変化に基づいて前記変形インターフェースの形状を変化させるアクチュエータの動作を制御するアクチュエータ制御部と、  前記操作対象が知覚していると推定される温度の変化に基づいて前記温度変化部の温度を制御する温度制御部と、を備える前記（３）に記載した電子デバイス。（５）  前記温度変化部は、電気的な温度の調節によって温度を変化可能である前記（３）または（４）に記載した電子デバイス。（６）  互いに関連して動作可能な一つの前記変形インターフェースと一つの前記温度変化部とを含むフィードバックユニットを複数備える前記（３）〜（５）のいずれかに記載した電子デバイス。（７）  前記アクチュエータは、流体アクチュエータである前記（４）〜（６）のいずれかに記載した電子デバイス。（８）  前記温度変化部は、前記変形インターフェースよりも前記ユーザに近い位置に配置されている前記（３）〜（７）のいずれかに記載した電子デバイス。（９）  弾性を有する変形部材を備え、  前記変形部材は、前記ユーザの体型に応じて変形可能である前記（３）〜（８）のいずれかに記載した電子デバイス。（１０）  前記温度変化部が発生させた温度の熱伝導率を低下させる熱伝導率低下部材を備え、  前記熱伝導率低下部材は、前記ユーザと前記温度変化部との間に配置される前記（３）〜（９）のいずれかに記載した電子デバイス。（１１）  少なくとも一つの前記変形インターフェースは、前記ユーザの上半身を押圧可能である前記（３）〜（１０）のいずれかに記載した電子デバイス。（１２）  少なくとも一つの前記変形インターフェース及び少なくとも一つの前記温度変化部は、衣服に取り付けられている前記（３）〜（１１）���いずれかに記載した電子デバイス。（１３）  少なくとも一つの前記変形インターフェース及び少なくとも一つの前記温度変化部は、それぞれ、前記上半身の前面と背面を押圧可能である前記（３）〜（１２）のいずれかに記載した電子デバイス。（１４）  少なくとも一つの前記変形インターフェースは、前記ユーザの足裏を押圧可能である前記（３）〜（１３）のいずれかに記載した電子デバイス。（１５）  少なくとも一つの前記変形インターフェース及び少なくとも一つの前記温度変化部は、靴のインソールに取り付けられている前記（３）〜（１４）のいずれかに記載した電子デバイス。（１６）  少なくとも一つの前記変形インターフェースは、前記ユーザの手を押圧可能である前記（３）〜（１５）のいずれかに記載した電子デバイス。（１７）  少なくとも一つの前記変形インターフェース及び少なくとも一つの前記温度変化部は、手袋に取り付けられている前記（３）〜（１６）のいずれかに記載した電子デバイス。（１８）  前記異環境を出力する異環境出力部と、  前記操作対象の操作に用いる操作部と、を備える前記（３）〜（１７）のいずれかに記載した電子デバイス。（１９）  複数の前記変形インターフェースと、  複数の前記温度変化部と、  前記操作対象が得ていると推定される触覚の変化に基づいて前記変形インターフェースの形状を変化させるアクチュエータの動作を制御するアクチュエータ制御部と、  前記操作対象が知覚していると推定される温度の変化に基づいて前記温度変化部の温度を制御する温度制御部と、を備え、  前記アクチュエータ制御部は、前記複数の変形インターフェースの形状をそれぞれ変化させる前記アクチュエータの動作を異なるタイミングで個別に制御し、  前記温度制御部は、前記複数の温度変化部の温度を異なるタイミングで個別に制御する前記（３）〜（１８）のいずれかに記載した電子デバイス。（２０）  前記ユーザの生体情報を検出する生体情報検出部と、  前記生体情報検出部が検出した生体情報の変動量を前記異環境下の状況に対応させて蓄積する生体情報蓄積部と、  前記操作対象が得ていると推定される触覚の変化に基づいて前記変形インターフェースの形状を変化させるアクチュエータの動作を制御するアクチュエータ制御部と、  前記操作対象が知覚していると推定される温度の変化に基づいて前記温度変化部の温度を制御する温度制御部と、を備え、  前記生体情報蓄積部は、前記生体情報検出部が検出した生体情報の変動量が変動量閾値を超えている場合、前記変動量閾値を超えている前記状況を変動量閾値に関連付けて記憶し、  前記アクチュエータ制御部は、前記ユーザが前記操作対象を操作している状況が、前記変動量が前記変動量閾値を超えている状況では、前記変動量が前記変動量閾値以下の状況よりも大きい変化量で前記アクチュエータの動作を制御し、  前記温度制御部は、前記ユーザが前記操作対象を操作している状況が、前記変動量が前記変動量閾値を超えている状況では、前記変動量が前記変動量閾値以下の状況よりも大きい変化量で前記温度変化部の温度を制御する前記（３）〜（１９）のいずれかに記載した電子デバイス。（２１）  前記温度変化部は、温度を調節した流体が移動することで温度を変化可能である前���（３）〜（２０）のいずれかに記載した電子デバイス。（２２）  前記アクチュエータは、電磁アクチュエータである前記（４）〜（６）のいずれかに記載した電子デバイス。（２３）  互いに関連して動作可能な一つの前記変形インターフェースと一つの前記温度変化部とを含むフィードバックユニットを複数備え、  前記複数のフィードバックユニットのうち二つは、前記ユーザの上半身を前後方向から挟む位置に配置されている前記（３）〜（２２）のいずれかに記載した電子デバイス。（２４）  前記操作対象が得ていると推定される触覚の変化に基づいて前記変形インターフェースの形状を変化させるアクチュエータの動作を制御するアクチュエータ制御部と、  前記操作対象が知覚していると推定される温度の変化に基づいて前記温度変化部の温度を制御する温度制御部と、を備え、  前記温度制御部は、前記アクチュエータ制御部が前記アクチュエータの動作を制御した後に、前記温度変化部の温度を制御する前記（３）〜（２３）のいずれかに記載した電子デバイス。（２５）  複数の前記フィードバックユニットを備え、  前記複数のフィードバックユニットの数は、８の整数倍である前記（３）〜（２４）のいずれかに記載した電子デバイス。（２６）  前記操作対象が得ていると推定される触覚の変化に基づいて前記アクチュエータの動作を制御するアクチュエータ制御部を備え、  前記アクチュエータ制御部は、前記異環境において前記操作対象が装着している部材に応じて、前記ユーザの身体に負荷が加わる部分に配置した前記変形インターフェースを予め他の変形インターフェースよりも膨らませる前記（３）〜（２５）のいずれかに記載した電子デバイス。（２７）  前記変形インターフェースの変形を規制する変形規制部材を備える前記（３）〜（２６）のいずれかに記載した電子デバイス。（２８）  前記ユーザへ振動をフィードバックする振動アクチュエータを備える前記（３）〜（２７）のいずれかに記載した電子デバイス。（２９）  少なくとも一つの前記変形インターフェース及び少なくとも一つの前記温度変化部は、前記ユーザが足を置く足置き台に取り付けられている前記（３）〜（２８）のいずれかに記載した電子デバイス。（３０）  少なくとも一つの前記変形インターフェースは、前記ユーザの足の甲を押圧可能である前記（３）〜（２９）のいずれかに記載した電子デバイス。（３１）  少なくとも一つの前記変形インターフェースは、前記ユーザの頭部を押圧可能である前記（３）〜（２９）のいずれかに記載した電子デバイス。（３２）  少なくとも一つの前記変形インターフェース及び少なくとも一つの前記温度変化部は、前記ユーザの頭部に装着されている前記（３）〜（３１）のいずれかに記載した電子デバイス。
【符号の説明】
【０１４５】  １…電子デバイス、２…フィードバックユニット、２１…変形インターフェース、２２…温度変化部、２３…アクチュエータ、２４…振動アクチュエータ、３…総合コントローラ、３１…アクチュエータ制御部、３２…温度制御部、４…異環境出力部、５…操作部、６…フィードバック演算部、７…生体情報検出部、８…生体情報蓄積部、１０…フィードバックシステム、Ｗ…衣服、Ｈ…ホース、ＳＳ…半袖シャツ、ＬＳ…長袖シャツ、Ｂ…ベルト部材、Ｅ…変形部材、Ｄ…隔壁、ＯＳ…最外層シート部材、ＥＳ１…第一伸縮性シート部材、ＥＳ２…第二伸縮性シート部材、ＡＳ…断熱シート部材、ＩＳ…最内層シート部材、ＳＩ…インソール、ＦＴ…足置き台、Ｓ…靴、Ｇ…手袋、Ｆ…指、ＧＳ…防護シート
【図１】
2020116010.tif 000003
【図２】
2020116010.tif 000004
【図３】
2020116010.tif 000005
【図４】
2020116010.tif 000006
【図５】
2020116010.tif 000007
【図６】
2020116010.tif 000008
【図７】
2020116010.tif 000009
【図８】
2020116010.tif 000010
【図９】
2020116010.tif 000011
【図１０】
2020116010.tif 000012
【図１１】
2020116010.tif 000013
【図１２】
2020116010.tif 000014
【図１３】
2020116010.tif 000015
【図１４】
2020116010.tif 000016
【図１５】
2020116010.tif 000017
【図１６】
2020116010.tif 000018
【図１７】
2020116010.tif 000019
【図１８】
2020116010.tif 000020
【図１９】
2020116010.tif 000021
【図２０】
2020116010.tif 000022
【図２１】
2020116010.tif 000023
【図２２】
2020116010.tif 000024
【図２３】
2020116010.tif 000025
【図２４】
2020116010.tif 000026
【図２５】
2020116010.tif 000027
【図２６】
2020116010.tif 000028
【図２７】
2020116010.tif 000029
【図２８】
2020116010.tif 000030
【図２９】
2020116010.tif 000031
【図３０】
2020116010.tif 000032
【図３１】
2020116010.tif 000033
【図３２】
2020116010.tif 000034
【図３３】
2020116010.tif 000035
【図３４】
2020116010.tif 000036
【国際調査報告】
2020116010.tif 000037
2020116010.tif 000038
2020116010.tif 000039